【事件の表示】
　特願２００３−１６２６９６号「ヘアアイロン」拒絶査定不服審判事件〔平成１６年１２月２４日出願公開、特開２００４−３５８０８５号〕について、次のとおり審決する。
【結　論】
　本件審判の請求は、成り立たない。
【理　由】
１．手続の経緯・本願発明
　本願は、平成１５年６月６日の出願であって、その請求項１に係る発明は、特許請求の範囲の請求項１に記載された次の事項により特定されるとおりのものである。（以下「本願発明」という。）
「軸を中心に互いに回動可能に連結された１対の把持アームを有し、軸を挟んで把持アームの先端側の対向面にそれぞれ頭髪押圧部が設けられたヘアアイロンにおいて、上記頭髪押圧部の少なくとも一方に、その長さ方向に沿ってエアノズルを設けるとともに、頭髪押圧部に設けた上記エアノズルにヘアを処理する流体を送り込む供給手段を、上記頭髪押圧部に付設したことを特徴とするヘアアイロン。」
　
２．引用刊行物
（１）引用刊行物１
　これに対して、原査定の拒絶の理由に引用され、本願の出願前に頒布された実願昭６１−１１１３９号（実開昭６２−１２３７０４号）のマイクロフイルム（以下「引用刊行物１」という。）には、第１〜７図とともに以下の事項が記載されている。
ア．「第１図ないし第４図は，この考案をヘアードライヤのヘアーアイロン用アタツチメントに適用した実施例を示している。
　第２図において，１はドライヤ本体，２はヘアーアイロン本体であり，ヘアーアイロン本体２で髪を挟み保持し，ドライヤ本体１から供給される熱風で髪を一定時間加熱することにより，ウエーブを形成する。
　熱風供給手段たるヘアードライヤ１は，前後方向に細長い筒状の本体ケース４の内部に，前から順にヒータによる発熱部５，モータ６，軸流型のファン７を配置している。そして本体ケース４の前部下面には吹出口グリル８ａで覆われる熱風吹出口８を，後部に吸込口９をそれぞれ設け，モータ６でファン７を回転させて風を吸込口９より吸い込み，発熱部５によって加熱したのち吹出口８より熱風を下向きに吹き出すようにしている。前記吹出口８の左右開口縁には，ヘアーアイロン本体２が抜き差し自在に嵌合されるフランジ１０・１０が前後方向に形成されている。
　ヘアーアイロン本体２は上下一対の羽子板形の髪挟み板３Ａ・３Ｂを，互いに揺動接近自在に配設してなる。髪挟み板３Ａ・３Ｂは帯板状の握り部１２・１３と，握り部１２・１３の各先端に一体形成された断面皿形の髪挟み部１４・１５とを有し，握り部１２・１３の後端部同士を支軸１６で揺動自在に枢結し，捻りコイルバネ１６ａで両髪挟み板３Ａ・３Ｂを開き姿勢に付勢している。髪挟み部の対向面には，それぞれパンチングメタル製の型板１７・１８を固定し，この型板１７・１８を断面波形に折り曲げて，互いに咬合し合う髪挟み面１９・２０を形成している。型板１７・１８に多数通設さた孔は，型板１７側では送風孔２１として，また型板１８側では排風孔２２として利用される。
　 上側の髪挟み部１４の背面には熱風供給口２３が開口され，この熱風供給口２３に前記送風孔２１を連通させている。・・・（中略）・・・
　第４図に示すように，上側の髪挟み部１４の背面に開口された熱風供給口２３はヘアードライヤ１の熱風吹出口８の開口大きさ，形状に合わせて形成され，そして背面上には前記熱風供給口２３の左右側方および前方の三方のみを囲む平面視Ｕ字形のボス２５が突設されている。このボス２５は前記フランジ１０・１０にその前方から差し込んで後方へスライドさせ，熱風吹出口８と熱風供給口２３とが合致する位置で固定する。すると，第２図に示すように上側の髪挟み板２の握り部１２が本体ケース４の下面側に添接した状態に止めつけられる。」（明細書第６頁第６行〜第８頁第１７行）
イ．「上記実施例では，本考案をヘアードライヤのアタツチメントに適用した場合について説明したが，必ずしもその必要はなく，ヘアーアイロン専用機であつてもよいこと言うまでもない。」（明細書第１１頁第１３〜１６行）
　上記ア．及びイ．の記載事項並びに図面の図示内容を総合すると、引用刊行物１には、以下の発明（以下「引用発明」という。）が記載されていると認められる。
「帯板状の握り部１２・１３と，握り部１２・１３の各先端に一体形成された断面皿形の髪挟み部１４・１５とを有し，握り部１２・１３の後端部同士を支軸１６で揺動自在に枢結した上下一対の羽子板形の髪挟み板３Ａ・３Ｂを有する，ヘアーアイロン本体２とこれと抜き差し自在に嵌合される前後方向に細長い筒状の熱風供給手段たるヘアードライヤ１において，
　髪挟み部１４・１５の対向面にはそれぞれパンチングメタル製の型板１７・１８を固定して互いに咬合し合う髪挟み面１９・２０を形成し，
　ヘアードライヤ１の熱風吹出口８をより熱風を下向きに吹き出し，上側の髪挟み部１４の背面に開口される熱風供給口２３を熱風吹出口８と合致する位置とし，この熱風供給口２３にパンチングメタル製の型板１７の多数通設された送風孔２１を連通させ，
髪を挟み保持し，ヘアードライヤ１から供給される熱風で髪を一定時間加熱することにより，ウエーブを形成する，
ヘアーアイロン本体２とこれと抜き差し自在に嵌合される前後方向に細長い筒状の熱風供給手段たるヘアードライヤ１。」
　
（２）引用刊行物２
　同じく引用され、本願の出願前に頒布された実願昭４９−４０８３３号（実開昭５０−１３２２７９号）のマイクロフイルム（以下「引用刊行物２」という。）には、第１〜３図とともに以下の事項が記載されている。
ア．「略円筒状の加熱ロッド(1)の内腹部(4)に、断面円弧状の長溝(8)を有し且この長溝(8)の底部全域に蒸気噴出ロ(7)……を設けたヒーター(9)内蔵の熱板(5)を、前記長溝(8)がロッド(1)の外方を向くように挿着し、前記ロッド(1)に長溝(8)に嵌脱する断面略円形のクランプ(15)を枢着して成るスチームヘアーアイロン。」（実用新案登録請求の範囲）
イ．「本考案は髪のくせづけを行なうスチームヘアーアイロンに関し、スチームを髪に当てくせづけを容易に且、確実にしたものである。
　一般に髪のくせづけを行なう場合は、髪にスチームを与えることがくせづけを確実にすると共に長持ちさせることができる。
　通常のヘアーアイロンは加熱ロッドをクランプ間に髪を挾圧せしめてヒーターの熱によりくせづけを行なう様にしたものや、スチームを発生せしめて髪のくせづけを確実にする如く意図したものがあるが、前者の場合はスチーム等の湿気を与えていないためにくせづけに時間を要したり、又後者の場合はスチームが挾圧した髪の全てに与えられないために、仕上り後の髪型が所望の型と異ったりすることがあった。
　本考案は上記の点に鑑みなされたもので以下図面と共に説明すると、(1)は把持部(2)、長孔(3)、及び内腹部(4)を有する略円筒状の加熱ロッド、(5)は内部にヒーター(9)を有し、このヒーター室(11)の上面に吸水口(6)を形成し、下面を断面円弧状の長溝(8)と成してその底部全域に蒸気噴出孔(7)……を穿設した熱板である。そして、熱板(5)は前記加熱ロッド(1)の内腹部(4)に長溝(8)が外方を向くように挿着されている。」（明細書第１頁第１２行〜第２頁第１５行）
ウ．「次に動作について述ベると、先ずクランプ(15)の一端を押えて加熱ロッド(1)の長溝(8)とクランプ(15)間に髪を挾み押圧する。そして、ヒーター(9)を発熱せしめて熱板(5)を加熱し、水タンク(12)の押釦(13)を押圧する。而して、水タンク(12)から滴下した水は吸水材(10)に浸透しヒーター室(11)の各部に分散すると共に蒸気噴出孔(7)(7)……からスチームとして噴出する。蒸気噴出孔(7)(7)……から噴出するスチームは第３図々示の如く髪が最も強く押圧されているクランプ(15)の突状部(b)と長溝(8)の最底部との間を通ってクランプ(15)の面(a)によって左右に分散する。」（明細書第３頁第５〜１６行）
エ．第１及び２図には、蒸気噴出口(7)が長溝(8)の底でその長手方向に沿って一列に並んでいる様子が図示される。
　
（３）引用刊行物３
　同じく引用され、本願の出願前に頒布された特開２００３−１５９１１４号公報（以下「引用刊行物３」という。）には、図１〜９とともに以下の事項が記載されている。
ア．「本発明の請求項３の髪ケア装置は、髪を加熱挟持する髪ケア装置であって、マイナスイオン発生装置を具備し、髪を加熱挟持する挟持面に、スチームを放出するスチーム放出口と、マイナスイオン発生装置で発生したマイナスイオンを放出するイオン放出口とを開口したことを特徴とする。髪を加熱することで髪から放出される水分をスチーム加湿で補い、さらにマイナスイオンの放出によって髪の保湿性、手触り感が向上し、髪ケア後の感触がより好ましくなる。」(段落【０００８】）
イ．「本発明の髪ケア装置は上記マイナスイオン発生装置で発生したマイナスイオンを放出するようにしたものあり、図１は髪ケア装置の一例を示し、髪の加熱挟持機構とスチーム放出部とマイナスイオン放出部を備えたヘアーアイロンである。ヒータ１２３を備えた加熱板１１５と、可動支点部１１６により可動する可動板１１７と、スチーム放出口１４５と、イオン放出口１１８で主体を構成したものである。髪は加熱板１１５と可動板１１７との間に挟んで使用するようになっている。イオン放出口１１８にイオンノズル１１９を接続してあり、イオンノズル１１９に内蔵されたイオン電極１２０に接続される高圧リード線１２１はイオン発生回路１２２に接続されている。イオン電極１２０やイオン発生回路１２２からなるマイナスイオン発生装置で発生したマイナスイオンはイオン放出口１１８から放出されるようになっている。スチーム放出口１４５はヒータ１２３を備えた気化室１４６とつながっている。ヒータ１２３への水の供給は着脱自在なタンク１４７内の水をフェルト１４８によって毛細管で給水することで行うようになっている。制御回路１２４にはヒータ１２３とイオン発生回路１２２とマイナスイオンのオン／オフの切り替えスイッチ１２５と電源供給用の電源コード１２６が接続されている。かかる切り替えスイッチ１２５の切り替えにてヒータ１２３への通電をオンした状態でマイナスイオンの発生をオンしたり、ヒータ１２３への通電をオフした状態でマイナスイオンの発生をオンしたりする切り替えができるようになっている。
　このヘアーアイロンは、ヒータ１２３に通電して加熱板１１５を加熱し、加熱板１１５と可動板１１７との間に髪を挟持して整髪する。このときスチーム発生装置の気化室１４６で発生したスチームをスチーム放出口１４５から髪の加圧挟持面に放出すると共にマイナスイオン発生装置で発生したマイナスイオンをイオン放出口１１８から髪の加圧挟持面に放出する。このようにすることで、髪を加熱することで髪から放出される水分をスチーム加湿で補い、さらにマイナスイオンの放出によって髪の保湿性、手触り感が向上し、髪ケア後の感触がより好ましくなる。」（段落【００１６】及び【００１７】）
ウ．「なお、上記髪ケア装置において、マイナスイオン発生装置として図２乃至図６の構造のものを適宜採用してもよい。」（段落【００２０】）
　
３．対比・判断
　本願発明と引用発明とを対比すると、
後者の「支軸１６」は、その機能・構成からみて、前者の「軸」に相当し、以下同様に、後者の「帯板状の握り部１２・１３」「を有し」た「上下一対の羽子板形の髪挟み板３Ａ・３Ｂ」は前者の「１対の把持アーム」に、後者の「支軸１６で揺動自在に枢結した」は前者の「軸を中心に互いに回動可能に連結された」に、後者の「髪挟み部１４・１５の対向面に」形成された「それぞれパンチングメタル製の型板１７・１８を固定して互いに咬合し合う髪挟み面１９・２０」は前者の「頭髪押圧部」に、後者の「ヘアーアイロン本体２とこれと抜き差し自在に嵌合される前後方向に細長い筒状の熱風供給手段たるヘアードライヤ１」は前者の「ヘアアイロン」にそれぞれ相当する。
　後者は、髪挟み面１９・２０が「握り部１２・１３の各先端に一体形成された断面皿形の髪挟み部１４・１５」の対向面に形成されており、「握り部１２・１３の後端部同士を支軸１６で揺動自在に枢結した上下一対の羽子板形の髪挟み板３Ａ・３Ｂを有」しているから、前者の「軸を挟んで把持アームの先端側の対向面にそれぞれ頭髪押圧部が設けられた」と同様の構成を有するといえる。
　後者は「ヘアードライヤ１の熱風吹出口８をより熱風を下向きに吹き出し，上側の髪挟み部１４の背面に開口される熱風供給口２３を熱風吹出口８と合致する位置とし，この熱風供給口２３にパンチングメタル製の型板１７の多数通設された送風孔２１を連通させ，髪を挟み保持し，ヘアードライヤ１から供給される熱風で髪を一定時間加熱することにより，ウエーブを形成する」ものであるから、ヘアードライヤ１よりの熱風はウエーブを形成する「ヘアを処理する流体」といえ、また、後者は、ヘアードライヤ１の熱風吹出口８より下向きに吹き出した熱風を、「断面皿形の」「上側の髪挟み部１４の背面に開口される熱風供給口２３」に入れ、「この熱風供給口２３にパンチングメタル製の型板１７の多数通設された送風孔２１を連通させ」ているから、後者の送風孔２１と前者の（所定の間隔で形成した）エアノズルとは、「頭髪押圧部の」「一方に、」「エアノズルを設ける」点で共通している。
　そして、後者のヘアードライヤ１はその「熱風吹出口８をより熱風を下向きに吹き出し，上側の髪挟み部１４の背面に開口される熱風供給口２３を熱風吹出口８と合致する位置とし」、さらに「この熱風供給口２３にパンチングメタル製の型板１７の多数通設された送風孔２１を連通させ」ているから、後者のこれらの構成は、前者の供給手段と、「頭髪押圧部に設けたエアノズルにヘアを処理する流体を送り込む」手段である点で共通する。
　そうすると、両者は、「軸を中心に互いに回動可能に連結された１対の把持アームを有し、軸を挟んで把持アームの先端側の対向面にそれぞれ頭髪押圧部が設けられたヘアアイロンにおいて、上記頭髪押圧部の一方に、エアノズルを設けるとともに、頭髪押圧部に設けた上記エアノズルにヘアを処理する流体を送り込む手段を有するヘアアイロン。」である点で一致し、以下の点で相違する。
　
相違点Ａ：エアノズルについて、本願発明が「頭髪押圧部の少なくとも一方に、その長さ方向に沿って」設けられるのに対して、引用発明は「髪挟み面１９・２０」を「パンチングメタル製の型板１７・１８」とし、「この熱風供給口２３にパンチングメタル製の型板１７の多数通設された送風孔２１を連通させ」ている点。
相違点Ｂ：エアノズルにヘアを処理する流体を送り込む手段について、本願発明が「頭髪押圧部に付設された」「供給手段」であるのに対して、引用発明は「ヘアーアイロン本体２とこれと抜き差し自在に嵌合される前後方向に細長い筒状の熱風供給手段たるヘアードライヤ１」と、「対向面にはそれぞれパンチングメタル製の型板１７を固定して互いに咬合し合う髪挟み面１９を形成し」「上側の髪挟み部１４の背面に開口される熱風供給口２３を熱風吹出口８と合致する位置とし，この熱風供給口２３にパンチングメタル製の型板１７の多数通設された送風孔２１を連通させ」た「断面皿形の髪挟み部１４・１５」である点。
　
　そこで、上記相違点について検討する。
（１）相違点Ａについて
　引用発明は、パンチングメタル製の型板により髪挟み面１９・２０の全面に送風孔２１が設けられているといえる。そうすると、ヘアードライヤ１の熱風吹出口８よりの熱風は、熱風供給口２３から髪挟み面１９・２０の全面に供給されるものであるから、熱風供給口２３から髪挟み面１９・２０への熱風の流路はその長さ方向に沿ったものと言い得、パンチングメタル製の型板１７の多数通設された送風孔２１もその長さ方向に沿ったものと言い得る。
　また、髪に供給する流体の吹き出し口を、装置やその髪に接する部分の長さ方向に沿って設けることは、例えば、登録実用新案第３０８２４２２号公報や実願昭６０−１１３９７５号（実開昭６２−２３６０１号）のマイクロフイルム等に示されるように、ヘアドライヤ等において周知であるとともに、ヘアアイロンや一列状のノズルであっても、例えば、引用刊行物２や特開２００２−２５３３２９号公報、実願昭５１−１３２２１５号（実開昭５３−５２９８５号）のマイクロフイルム、特開２００３−９３１３２号公報、特開平９−１９１９２０号公報等にも示されるように、従来周知のことであるから、このような周知の事項に倣ってヘアを処理する流体を送るノズルを長さ方向に沿って設けることも当業者が適宜なし得たことである。ヘアを処理するのに、押圧部に挟まれたヘア全体に処理する流体が当たるように、細長い押圧部に沿って流体を供給するノズルを設けることは当業者が通常なす程度のことでもある。
　付言すると、仮に、上記ヘアを処理する流体がイオン化作用や磁気作用による髪の痛み防止回復させるものであるとしても、上記登録実用新案第３０８２４２２号公報には髪処理の熱風をトルマリンによるイオンを含ませるものとすることが示され、また、上記引用刊行物２や特開２００２−２５３３２９号公報、実願昭５１−１３２２１５号（実開昭５３−５２９８５号）のマイクロフイルムにはヘアアイロンの押圧部が熱板であるとともにスチームを供給するものが示されるのであって、スチームはより早く処理するとともに痛みも防止するものといえ、さらに上記特開平９−１９１９２０号公報には髪処理用のスチームに放電電極による弱酸性化、微細化されたスチームを用いることが示されていて、当業者が容易になし得たものといわざるを得ない。
　加えて、上記特開２００３−９３１３２号公報にはヘアアイロンの押圧部である熱板の長手方向に沿ってその端面においてマイナスイオンやオゾンを供給するスリットが設けることが示されており、上記引用刊行物３にも熱板による押圧部とともにイオンやスチームを設けることが示されている。そうすると、たとえ、押圧部が熱板であってかつ処理流体がスチ−ムや熱風でないとしても、さらにノズルが押圧部の端面に設けられるものであっても、当業者にとって格別の困難性を要することなくなし得たものである。
　したがって、上記相違点Ａに係る本願発明の構成とすることは、当業者が容易になし得たことといえ、その効果においても格別であるとはいえない。
　
（２）相違点Ｂについて
　引用発明は、熱風供給手段たるヘアードライヤ１が「ヘアーアイロン本体２と抜き差し自在に嵌合される」ものであるが、引用刊行物１には「上記実施例では，本考案をヘアードライヤのアタツチメントに適用した場合について説明したが，必ずしもその必要はなく，ヘアーアイロン専用機であつてもよいこと言うまでもない。」（２．（１）イ．）とも記載されており、上記示唆に基づいてヘアーアイロン専用機にすべく、ヘアードライヤ１をヘアーアイロン本体２と一体の熱風供給手段とすることに何ら格別の困難性はなく、当業者が適宜なし得た設計上の事項といえる。
　そして、引用発明は、対向面にはそれぞれパンチングメタル製の型板１７を固定して互いに咬合し合う髪挟み面１９を形成し、上側の髪挟み部１４の背面に開口される熱風供給口２３を熱風吹出口８と合致する位置とし、この熱風供給口２３にパンチングメタル製の型板１７の多数通設された送風孔２１を連通させた断面皿形の髪挟み部１４を有するものであるから、これらの構成と上記ヘアーアイロン本体２と一体の熱風供給手段は、送風孔２１を有する髪挟み面１９に付設されたものといえる。
　仮に、ヘアを処理する流体を送り込む供給手段がエアノズルを有するエア管であるとしても、流体をノズルを有する管により吹き出すようなすことは当業者にとって常套手段に過ぎず、当業者にとって格別ではない。
　したがって、上記相違点Ｂに係る本願発明の構成とすることは、当業者が容易になし得たことといえ、その効果においても格別であるとはいえない。
　
（３）まとめ
　以上のようであるから、本願発明は、引用発明、引用刊行物２及び３に記載の事項並びに上記周知の事項に基づいて、当業者が容易に発明をすることができたものといえる。
　そして、相違点Ａ及びＢを合わせみても、本願発明の効果が格別であるとはいえない。
　
４．むすび
　以上のように、本願発明は、引用発明、引用刊行物２及び３に記載の事項並びに上記周知の事項に基づいて、当業者が容易に発明をすることができたものであるから、特許法第２９条第２項の規定により特許を受けることができない。そうすると、本願の他の請求項に係る発明について検討するまでもなく、本願は拒絶すべきものである。
　よって、結論のとおり審決する。